(57)【特許請求の範囲】
【請求項１】
被検眼球を音波により振動させる加振手段、被検眼球の振動を非侵襲的に計測する計測手段、計測手段により計測された振動から被検眼球の共振のＱ値を算出するＱ値算出手段、及び、Ｑ値に基づいて眼圧を算出する眼圧算出手段を備える眼圧測定装置。
【請求項２】
前記加振手段及び前記計測手段が前記被検眼球の瞼の上に配置される請求項１に記載の装置。
【請求項３】
前記加振手段（３）及び前記計測手段（４）が前記瞼（６）上に配置されるように前記加振手段（３）及び前記計測手段（４）が本体（１）に取り付けられ、前記本体（１）はホルダー（５）に、前記本体（１）が前記ホルダー（５）の軸方向に移動させることができるように挿入されている請求項２に記載の装置。
【発明の詳細な説明】
技術分野
本発明は、眼圧測定の方法及び装置に関する。
背景技術
眼圧の測定方法としては、一定の圧力を角膜に加え、この時の角膜の陥没状態で眼圧を測定する方法、及び、角膜に加圧子を接触させ、または角膜に空気を噴射することにより、角膜の一部が平坦になる圧力を測定することより眼圧を測定する方法が一般に知られている。これらの方法では、角膜に直接的に刺激を与えるので、高い安全性が要求され、そのため、検者が医師または医療従事者である必要がある。また、局所麻酔の必要があったり、空気噴射による不快感を与えたりするなど被検者の受ける負担が大きい。
このような問題に対して、音波により眼球の表面を振動させ、その振動の振幅、眼球の共振周波数、又は、眼球の表面波の速度に基づいて眼圧を測定する方法（特開平２−１８１２４１号公報、米国特許第５，３７５，５９５号明細書、米国特許第５，２５１，６２７号明細書）、閉眼状態でまぶたの上から加圧することにより眼圧を測定する方法（特開平６−１０５８１１号公報、特開平８−２８０６３０号公報、特開平８−３２２８０３号公報）などが提案されている。
一方、頭蓋内圧を音波を用いて測定する方法において、Ｑ値が頭蓋内圧に関係するパラメーターの一つであることが知られている（米国特許第５，９１９，１４４号明細書）。
発明の開示
本発明の課題は、安全で誤差の少ない眼圧測定の方法及び装置を提供することである。
本発明者らは、眼球を振動させたときの共振におけるＱ値が眼圧と関連しており、しかもその関連は眼球の大きさの影響を受けないことを見い出し、本発明を完成した。
従って、本発明は以下のものを提供する。
（１）  被検眼球を音波により振動させ、被検眼球の振動を非侵襲的手段により計測することにより被検眼球の共振のＱ値を求め、Ｑ値に基づいて眼圧を算出することを含む眼圧測定方法。
（２）  被検眼球を音波により振動させる加振手段、被検眼球の振動を非侵襲的に計測する計測手段、計測手段により計測された振動から被検眼球の共振のＱ値を算出するＱ値算出手段、及び、Ｑ値に基づいて眼圧を算出する眼圧算出手段を備える眼圧測定装置。
発明を実施するための最良の形態
以下、本発明方法、本発明装置の順に説明する。
＜１＞本発明方法
本発明方法は、眼圧測定方法であって、被検眼球を音波により振動させ、被検眼球の振動を非侵襲的手段により計測することにより被検眼球の共振のＱ値を求め、Ｑ値に基づいて眼圧を算出することを特徴とするものである。
被検眼球の共振のＱ値の測定においては、音波により被検眼球を振動させ、その振動を非侵襲的手段により計測する。被検眼球は、全体を振動させてもよいし、一部の強膜を振動させてもよい。音波を用いることで、角膜に直接接触することなく被検眼球を振動させることができる。また、閉眼状態でも被検眼球を振動させることができる。すなわち、体組織である瞼は、音響的には、音圧の媒体として適している水であるとみなすことができるので、瞼は音波により眼球を振動させることを妨げない。使用する音波の、周波数は、Ｑ値の算出法に応じて適宜選択される。
計測された振動からのＱ値の算出は例えば周波数法とインパルス法により行うことができる。周波数法では、使用する周波数は、被検眼球が共振する周波数（共振点）を含む任意の範囲であって、連続的に変化しても離散的に変化してもよい。インパルス法では、音波はパルスとして使用し、使用するパルスは共振点より高い周波数成分を含んでおり、また、繰返し行った計測の結果を加算平均するなどＳ／Ｎ比改善の工程を含んでいてもよい。
あるいは、回路理論で定義されたＱとは異なる計算、例えば共振点におけるゲインと共振点から一定の周波数だけ離れた周波数におけるゲインの比により近似的なＱを求めてもよい。また、２つの周波数におけるゲインの比によりＱ値を求めてもよい。
音波により与えられる振動は、通常には正弦波または略正弦波の振動であり、正弦波の振動であることが好ましい。
音波の発生源は特に限定されず、例えばスピーカー、イヤホンなどを使用することができる。振動の計測手段は、眼球に直接接触しないものであれば、特に限定されないが、被検眼球の振動により生じる音波を計測することが好ましい。音波の計測手段としてはマイクロフォン（エレクトレットコンデンサを含む）、非接触変位計、加速度センサなどが挙げられる。音波の発生源と振動の計測手段が互いに近くに配置される場合、一方が他方の影響を受けないように音波の発生源と振動の計測手段を選択することが好ましい。
本明細書において、「非侵襲的手段」とは、角膜に直接接触しない手段を意味する。被検眼球の振動を計測する非侵襲的手段としては、眼球の振動により生じる音波を測定する手段、眼球の表面の変位を光学的に測定する手段などが挙げられる。
被検眼球の振動は、振動により生じる音波を計測することにより行うことが好ましい。この場合には、上述のように、瞼は、音響的には、音圧の媒体として適している水であるとみなすことができるので、瞼の共振特性に対する影響は小さく、閉眼状態でも被検眼球の振動を計測できる。
Ｑ値に基づく眼圧の算出は、既知の眼圧の眼球についてＱ値を測定することにより眼圧とＱ値との関係を求めておき、その関係に基づいて測定されたＱ値を眼圧に換算することにより行うことができる。眼圧とＱ値の関係は眼球の大きさの影響を受けないため、眼球の大きさによる補正を行う必要がない。すなわち、眼球の大きさの個人差の影響を受けずに眼圧を正確に測定することができる。
＜２＞本発明装置
本発明装置は、眼圧測定装置であって、被検眼球を音波により振動させる加振手段、被検眼球の振動を非侵襲的に計測する計測手段、計測手段により計測された振動から被検眼球の共振のＱ値を算出するＱ値算出手段、及び、Ｑ値に基づいて眼圧を算出する眼圧算出手段を備えることを特徴とするものである。
加振手段は、音波により被検眼球を振動させることができるものである。このような加振手段は、通常には、周波数可変の音波を発射できるものであり、例えば、周波数可変型発振器、及び、この発振器に接続されこの発振器からの信号に応じて音波を発信する発信素子から構成される。発信素子の例としては、導電型または圧電型のスピーカー、イヤホンなどが挙げられる。音波により与えられる振動は、通常は、正弦波または略正弦波の振動であり、好ましくは、正弦波もしくは正弦波の和である。
計測手段は、被検眼球の振動を非侵襲的に計測するものである。なお、本明細書において「非侵襲的」とは、角膜に直接接触する部材を用いないことを意味する。このような計測手段は、例えば、被検眼球の振動により生じる音波を計測する受信素子、及び、受信素子からの信号を増幅する増幅回路から構成される。受信素子の具体例としては、コンデンサマイクロホンなどが挙げられる。
Ｑ値算出手段は、計測手段により計測された振動から被検眼球の共振のＱ値を算出するものであり、例えば、被検眼球の共振周波数を含む範囲にわたって音波の周波数を変化させたときの被検眼球の振動を計測することによって得られる伝達特性に基づいてＱ値を算出する手段が挙げられる。このようなＱ値算出手段は、例えば、加振手段から入力された音波の周波数及び計測手段から入力された振動からＱ値の算出を行うコンピューターにより構成される。
計測手段とＱ値算出手段との間には、不必要な信号を遮断するフィルターを設けてもよい。
本発明の装置の一態様を図１を参照して説明する。周波数可変型正弦波発振器に送信素子が接続され、発振器からの発振信号により送信素子から音波が発せられる。また、周波数可変型正弦波発振器からの発振信号が増幅器を介してコンピュータに入力される。受信素子は増幅回路に接続され、受信素子からの信号は増幅回路により増幅され、フィルタを介してコンピュータに入力される。送信素子及び受信素子は、瞼上の異なる位置に配置される。
この態様では、周波数可変型正弦波発振器及びこの発振器に接続された送信素子が加振手段を構成する。受信素子、受信素子からの信号を増幅する増幅回路が計測手段を構成する。コンピュータがＱ値算出手段を構成する。
この態様の装置を用いた眼圧の測定は、例えば以下の様に行うことができる。
（１）音波送受信素子を眼上に配置する。（２）送信素子から眼に音波を送る。
（３）送信する音波の周波数を変化させて、送受信の伝達周波数特性を求める。
（４）求めた伝達特性から共振周波数のＱ値を求める。（５）求めたＱ値に対応する眼圧を求める。
加振手段及び計測手段は、通常には、装置本体に、加振手段の振動が計測手段に直接伝わらないような方法で設けられる。装置は、加振手段及び計測手段を適当な圧力で被検眼の瞼上に密着させることができるような手段をさらに有することが好ましい。加振手段及び計測手段は可撓性材料の上に設けられ、これが本体に取り付けられてもよい。
測定の際には、送信素子及び受信素子の接触した部分で瞼がわずかに変形し、送信素子及び受信素子が瞼上から眼球に密着し、かつ眼球は変形を起こさない自然の状態を保っている、という状態が測定には最適であるので、この状態になるように送信素子及び受信素子が眼球に対して押圧される圧力を調整する。
実施例
以下、実施例を参照して本発明を説明するが、本発明はこれにより限定されるものではない。
実施例１
眼球のモデルとして、一定の内圧になるように水を封入した風船を用い、風船に、送信素子としてイヤホン、受信素子としてマイクロホンを取付け、伝達特性を測定した。測定された波形を図２に示す。測定された波形において、ピークの周波数とこのピークより十分離れた低い周波数における利得の差がＱ値に相当する。図２から明らかなように、風船の直径が変化しても利得の差はほぼ同じであり、Ｑ値は風船大きさの影響を受けないことが判明した。従って、Ｑ値に基づいて眼圧を求める場合には、眼球の大きさの個人差を考慮する必要がないと考えられる。
実施例２
ブタの眼球（豚眼）を用いて、伝達特性を測定し、測定された波形から眼圧とＱ値との関係を求めた。
穴を開けた防振ゴムに送信素子としてイヤホン、受信素子としてコンデンサマイクロホンをそれぞれはめ込み、ダンボールで作成した土台に取り付けた。イヤホンを瞳（黒い部分）に、コンデンサマイクロホンを白目の部分に付くように豚眼を土台に乗せた。豚眼は土台に乗せただけで接着剤や両面テープで送受信素子を固定しなかった。
豚眼には視神経から注射針を刺し、注射針を生理食塩水の入った容器につないだ。容器の水面の高さは豚眼とほぼ同じにし、容器を上下に動かす事で豚眼内部の圧力を変化させられるようにした。
このようにして、眼圧とＱ値との関係を求めた結果を図３に示す。図３から明らかなように眼圧に依存してＱ値は変化することが判明した。
実施例３
ヒトの眼球でＱ値の測定を行った。この実施例では、図４〜６に示す装置を使用した。図４は側面断面図、図５上面断面図、図６は正面図である。この装置は、以下のような特徴を有する。
１．穴をあけた防振ゴム２に送信素子３としてイヤホン、受信素子４としてコンデンサマイクをそれぞれはめ込み、この防振ゴム２は、ほぼ中央に隔壁を有する円筒状の本体１に取り付けられている。本体１は、中空のホルダー５に入れられている。送信素子３と受信素子４との間には、防振ゴム２があるので、送信素子３の振動が直接受信素子４に伝わることはない。また、防振ゴム２は撓み、送信素子３及び受信素子４が瞼６に対してほぼ垂直に接触する（図７）。
２．ホルダー５の先端は広がっていて、被検眼を避けて被検者の顔に当てることができる。また、ホルダー５は中空となっており、本体１は、ホルダー５の軸方向に移動させることができる。これにより、適当な圧力Ｐで本体を瞼６上から被検眼に密着させ、かつ、被検眼を覆うことができる。よって、素子と瞼との間にある空気や、外からの音・振動などの影響を避けることができるので、正確な測定が可能になる。
圧力Ｐを加える方法としては、バネ等の加圧手段を使用してもよいが、本実施例では、被検眼を上向きにして、本体１の隔壁上にコインを置いて加圧した。この方法によれば、Ｐを微細に調整することができる。
Ｐが強すぎると、眼球の自由度が奪われるので、眼球は送信素子３から音波を受けても、自然な状態で振動することができなくなり、正確な眼圧測定ができなくなる。一方、Ｐが弱すぎると送信素子３及び受信素子４と瞼６との間に空間ができ、そこにある空気が送信素子３から眼球に伝えるべき振動（音波）の伝達を阻害するので、正確な眼圧が測定できなくなる。
瞼６がわずかに変形し、送信素子３及び受信素子４が瞼６上から眼球に密着し、かつ眼球は変形を起こさない自然の状態を保っている、という状態が測定には最適であるので、この状態になるようにＰを調整した。
この条件で、Ｑ値を測定した結果を図８に示す。周波数１００Ｈｚのゲインとピークのゲイン（利得）との比からＱ値が求まる。なお、Ｑ値はＰの大小によって多少変化する（Ｐを弱めるとＱ値が小さくなる）ことが確認されているので、Ｐに応じて、適宜Ｑ値に補正をすることが好ましい。
産業上の利用の可能性
本発明によれば、角膜に直接刺激を与えないので、医師や医療従事者でなくとも安全に測定できる上に、眼球の大きさによる補正の必要がなく、眼圧の測定を一層容易かつ正確に行うことができる。
【図面の簡単な説明】
図１は、本発明装置の一例の全体の構成図示す。
図２は、伝達特性を測定した結果の一例を示す。
図３は、眼圧とＱ値との関係の一例を示す。
図４は、実施例３の装置の側面断面図である。
図５は、実施例３の装置の上面断面図である。
図６は、実施例３の装置の正面図である。
図７は、実施例３の装置を眼球に押しつけたときの状態の説明図である。
図８は、実施例３の装置による測定の結果の一例である。
【図１】
0004133341.tif 000002
【図２】
0004133341.tif 000003
【図３】
0004133341.tif 000004
【図４】
0004133341.tif 000005
【図５】
0004133341.tif 000006
【図６】
0004133341.tif 000007
【図７】
0004133341.tif 000008
【図８】
0004133341.tif 000009